(57)【特許請求の範囲】
【請求項１】
記録媒体に記録された画像を再生する画像再生装置であって、
前記画像を表示する表示部と、
撮影時にスルー画像の第１領域に対して合焦しながら撮影された第１動画像と、前記第１動画像の撮影後に、前記スルー画像において前記第１領域とは異なる第２領域に対して合焦しながら撮影された第２動画像とを記録した記録媒体から、前記各動画像を読み出す読出部と、
前記読出部で読み出した前記第１動画像と前記第２動画像とを、前記各動画像の撮影された順に繋いで編集動画像を生成するために、各動画像の繋ぎ部分に画像処理を行う画像処理部と、
前記表示部に前記編集動画像を表示させる表示制御部と、
を備えることを特徴とする画像再生装置。
【請求項２】
前記画像処理部は、前記各動画像の繋ぎ部分にクロスフェード処理を行なうことを特徴とする請求項１に記載の画像再生装置。
【請求項３】
前記画像処理部は、前記各動画像の繋ぎ部分にソフトフォーカス処理を行なうことを特徴とする請求項１に記載の画像再生装置。
【請求項４】
前記動画像はスローモーション動画像であることを特徴とする請求項１〜３の何れか一項に記載の画像再生装置。
【請求項５】
前記読出部は、前記記録媒体から、前記編集動画像の最後に位置する最終動画像の撮影時に撮影された最終静止画像を読出し、
前記画像処理部は、前記最終動画像の後に前記最終静止画像を繋いで前記編集動画像を作成するために、前記最終動画像と前記最終静止画像の繋ぎ部分に画像処理を行うことを特徴とする請求項１〜４の何れか一項に記載の画像再生装置。
【請求項６】
前記読出部は、前記記録媒体から、前記編集動画像の最初に位置する先頭動画像の撮影時に撮影された先頭静止画像を読出し、
前記画像処理部は、前記先頭動画像の前に前記先頭静止画像を繋いで前記編集動画像を作成するために、前記先頭静止画像と前記先頭動画像の繋ぎ部分に画像処理を行うことを特徴とする請求項５に記載の画像再生装置。
【請求項７】
前記読出部は、前記記録媒体から、前記編集動画像を構成する少なくとも２つの動画像の撮影時に記録された音声をそれぞれ読出し、
前記読出部に読み出された少なくとも２つの音声を繋いで編集音声を作成するために、各音声の繋ぎ部分に音声処理を行う音声処理部と、
前記編集動画像の表示時に前記編集音声を出力する音声出力部と、
を備えることを特徴とする請求項１〜６の何れか一項に記載の画像再生装置。
【請求項８】
前記音声処理部は、前記各音声の繋ぎ部分にクロスフェード処理を行うことを特徴とする請求項７に記載の画像再生装置。
【請求項９】
前記音声処理部は、前記各音声の繋ぎ部分にフェードアウト処理及びフェードイン処理を行うことを特徴とする請求項７に記載の画像再生装置。
【請求項１０】
前記読出部は、前記記録媒体から、前記各動画像を再生表示する順番を示すデータを読出し、
前記画像処理部は前記データに基づいて、前記各動画像を撮影順に繋いで前記編集動画像を生成することを特徴とする請求項１〜９の何れか一項に記載の画像再生装置。
【発明の詳細な説明】
【技術分野】
【０００１】
本発明は、画像再生装置に関するものである。
【背景技術】
【０００２】
デジタルカメラにより撮影された合焦位置の異なる近景合焦画像及び遠景合焦画像を取得し、取得した近景合焦画像及び遠景合焦画像のぼけ味調整処理を行い、このぼけ味調整処理に基づいて近景合焦画像の合焦位置から遠景合焦画像の合焦位置まで徐々に合焦位置が変化する複数の合焦変化画像を作成し、近景合焦画像、複数の合焦変化画像及び遠景合焦画像を各フレーム画像として連結した動画像の画像ファイルを作成する画像処理装置が提案されている（例えば、特許文献１参照）。
【先行技術文献】
【特許文献】
【０００３】
【特許文献１】特開２００２−２９０８３１号公報
【発明の概要】
【発明が解決しようとする課題】
【０００４】
しかしながら上記従来技術で動画ファイルを生成するには、その動画ファイルを構成する各フレーム画像のそれぞれを、２枚の静止画を合成処理して生成しているが、動画像としての各フレームの被写体に動きがなく、動画像として再生するには物足りない印象がぬぐえない。ところで、動画像を撮影する場合において、合焦位置が近景から遠景へ徐々に変化する動画像のような印象的な映像効果を有する動画像を、上述のような合成処理を行うことなしに取得可能な技術が所望されている。しかしながら、上述のような印象的な映像効果を有する動画像を、使用者がビデオカメラ等を手動操作して撮影しようとした場合には高度な操作技術を要していた。
【０００５】
本発明の目的は、印象的な映像効果を有する動画像の再生を行うことができる画像再生装置を提供することである。
【課題を解決するための手段】
【０００６】
本発明は以下のような解決手段により上記課題を解決する。
【０００７】
本発明の画像再生装置は、記録媒体に記録された画像を再生する画像再生装置であって、前記画像を表示する表示部と、撮影時にスルー画像の第１領域に対して合焦しながら撮影された第１動画像と、前記第１動画像の撮影後に、前記スルー画像において前記第１領域とは異なる第２領域に対して合焦しながら撮影された第２動画像とを記録した記録媒体から、前記各動画像を読み出す読出部と、前記読出部で読み出した前記第１動画像と前記第２動画像とを、前記各動画像の撮影された順に繋いで編集動画像を生成するために、各動画像の繋ぎ部分に画像処理を行う画像処理部と、前記表示部に前記編集動画像を表示させる表示制御部と、を備えることを特徴とする。
【発明の効果】
【０００８】
本発明によれば、印象的な映像効果を有する動画像の再生を行うことができる画像再生装置を提供することができる。
【図面の簡単な説明】
【０００９】
【図１】第１の実施の形態に係る電子カメラの背面を示す図である。
【図２】第１の実施の形態に係る電子カメラのシステム構成を示すブロック図である。
【図３】第１の実施の形態に係る表示部に表示される撮影モード選択画面を示す図である。
【図４】第１の実施の形態に係る擬似フォーカスエフェクト動画撮影モードによる動画像の撮影処理を示すフローチャートである。
【図５】第１の実施の形態に係る表示部に表示される第１指定枠を示す図である。
【図６】第１の実施の形態に係る表示部に表示される第２指定枠を示す図である。
【図７】第１の実施の形態に係る編集動画像の再生処理を示すフローチャートである。
【図８】第１の実施の形態に係る第１動画像及び第２動画像の長さを示す図である。
【図９】第１の実施の形態に係る編集動画像の再生または動画像生成タイムラインを示す図である。
【図１０】編集動画像の再生によって表示される動画像を示す図である。
【図１１】第２の実施の形態に係る擬似フォーカスエフェクト動画撮影モードによる動画像の撮影処理を示すフローチャートである。
【図１２】第２の実施の形態に係る表示部に表示される第１指定枠と第２指定枠を示す図である。
【図１３】第２の実施の形態に係る編集動画像の表示によって変化する合焦位置を示す図である。
【図１４】第３の実施の形態に係るフレーム画像データのフレームレートの変更を説明する図である。
【図１５】第３の実施の形態に係る編集動画像の再生または動画像生成タイムラインを示す図である。
【図１６】動画像データと静止画像データの生成する様子を示す図である。
【図１７】静止画像が表示される編集動画像の再生または動画像生成タイムラインを示す図である。
【図１８】ソフトフォーカス処理強度の変化と再生または動画像生成タイムラインとの関係を示す図である。
【図１９】ソフトフォーカス処理による編集動画像と編集音声の再生または生成タイムラインを示す図である。
【図２０】ソフトフォーカス処理による編集動画像と編集音声の再生または生成タイムラインを示す図である。
【発明を実施するための形態】
【００１０】
以下、図面を参照して、本発明の第１の実施の形態に係る撮像装置としての電子カメラについて説明する。図１は第１の実施の形態に係る電子カメラ２の背面を示す図である。図１に示すように、電子カメラ２の背面には、ＬＣＤ等により構成される表示部４が設けられている。この表示部４の表面にはタッチパネル５が設けられている。表示部４は、後述する撮像素子２２からの撮像信号に基づくスルー画像、後述する記録媒体２８に記録されている画像データに基づく静止画像や動画像を表示する。タッチパネル５は、静電容量方式等のタッチパネルであって表示部４上のユーザの指が接触した位置や領域を検知し、その検知結果を後述の制御部２０（図２参照）に対して出力する。
【００１１】
また、電子カメラ２の背面には撮影モード等を変更するためのモードボタン８、メニュー項目等の選択や様々な設定時に操作される十字キー１０、メニュー項目等の選択や様々な設定に対する確定操作を行うためのＯＫボタン１２が設けられている。電子カメラ２の上面には、静止画像や動画像の撮影を指示するためのシャッターボタン６が設けられている。更に電子カメラ２の前面には、撮影レンズ１６（図２参照）が設けられている。
【００１２】
図２は、第１の実施の形態に係る電子カメラ２のシステム構成を示すブロック図である。図２に示すように、電子カメラ２には、フォーカシングレンズ１４及びフォーカシングレンズ１４を光軸方向に駆動させるレンズ駆動部１５等を備えた撮影レンズ１６が装着されている。レンズ駆動部１５は、電子カメラ２（後述する制御部２０）からの制御に従い、フォーカシングレンズ１４を駆動させる。ここで、撮影レンズ１６は電子カメラ２に対して着脱可能な交換式の撮影レンズであっても、電子カメラ２に固定されている一体式の撮影レンズであってもよい。
【００１３】
電子カメラ２は、マイクロプロセッサ等により構成され、電子カメラ２の各部を統括的に制御する制御部２０を備えている。制御部２０には、表示部４、撮像素子２２、アンプ・Ａ／Ｄ変換部２４、操作部２６、記録媒体２８、スピーカ３０、記憶部３２及びバッファメモリ３４が接続されている。撮像素子２２は、ＣＣＤまたはＣＭＯＳ等により構成され、撮影レンズ１６を介した被写体光を撮像して撮像信号を制御部２０に対して出力する。
【００１４】
制御部２０は撮像素子２２から出力された撮像信号に対して解像度調整等の画像処理を行って静止画像、動画像、スルー画像の画像データを作成する。ＣＭＯＳ型撮像素子の場合は、直接デジタル信号を出力する場合もある。また、制御部２０は、作成された画像データのコントラスト値を検出し、検出されたコントラスト値に基づいてコントラスト方式のオートフォーカスを行う。具体的には、レンズ駆動部１５を介してフォーカシングレンズ１４を光軸方向に移動させることによりフォーカス位置を調節する。
【００１５】
アンプ・Ａ／Ｄ変換部２４は、マイク２５により集音された電子カメラ２の周辺部の音声のアナログ信号をデジタル信号に変換し、変換された音声のデジタル信号を制御部２０に対して出力する。制御部２０は、アンプ・Ａ／Ｄ変換部２４から出力された音声のデジタル信号から音声データを作成する。操作部２６は、電子カメラ２の電源をオン／オフする電源スイッチ、タッチパネル５、シャッターボタン６、モードボタン８、十字キー１０、ＯＫボタン１２等を含んで構成されている。
【００１６】
記録媒体２８は、電子カメラ２に設けられたカードスロット（図示せず）に着脱可能に装着される可搬性を有する記録媒体であり、例えば、ＣＦカード、ＳＤカード、スマートメディア等が用いられる。記録媒体２８には、制御部２０において作成された動画像データや音声データ等が記録される。スピーカ３０は、記録媒体２８に記録されている音声データに基づく音声や操作音、効果音等を出力する。
【００１７】
記憶部３２は、表示部４に表示されているスルー画像に対して設定される、後述の合焦位置、動画像撮影における撮影フレームレート等を記憶する。また記録媒体２８から読み出された静止画像データや動画像データ等を一時的に記憶する。
【００１８】
バッファメモリ３４は、動画像の撮影が行われた場合に撮像素子２２から出力される撮像信号に基づき作成されるフレーム画像データを一時的に記憶する。またバッファメモリ３４は、動画像の撮影時にマイク２５により集音された音声に基づくバッファ音声データを一時的に記憶する。
【００１９】
この実施の形態に係る電子カメラ２の制御部２０は、２つの動画像を繋いで編集動画像を作成する処理を行う。また制御部２０は、編集動画像の作成のときに動画像の繋ぎ部分に動画像を繋ぐための画像処理を行う。
【００２０】
次に第１の実施の形態に係る電子カメラ２において擬似フォーカスエフェクト動画撮影モードで動画像を撮影する際の処理について説明する。先ずユーザはモードボタン８を押下して撮影モード選択画面を表示部４に表示させる。撮影モード選択画面には、図３に示すように静止画撮影モードを設定する"静止画撮影"ボタン、動画撮影モードを設定する"動画撮影"ボタン、擬似フォーカスエフェクト動画撮影モードを設定する"擬似フォーカスエフェクト動画撮影"ボタンが表示される。ここで擬似フォーカスエフェクト動画撮影モードは、編集動画像を構成する動画像を撮影するモードである。
【００２１】
ユーザが十字キー１０とＯＫボタン１２を押下することによって"擬似フォーカスエフェクト動画撮影モード"を選択すると、制御部２０は、擬似フォーカスエフェクト動画撮影モードに移行する。図４は第１の実施の形態に係る擬似フォーカスエフェクト動画撮影モードによる動画像の撮影処理を示すフローチャートである。制御部２０は、擬似フォーカスエフェクト動画撮影モードに移行すると、撮像素子２２からの撮像信号に基づくスルー画像を表示部４に表示させる（ステップＳ１）。
【００２２】
図５は表示部４に表示されているスルー画像を示す図である。表示部４には手前側に人が存在して背景に木が存在するスルー画像が表示されている。ユーザが表示部４に表示されているスルー画像の背景の木の位置に指を接触させると、指の接触位置がタッチパネル５により検出される。制御部２０は、タッチパネル５により検出された接触位置に基づいてスルー画像に表示されている木に重畳させて第１指定枠４０を表示させる（ステップＳ２）。
【００２３】
この状態において、ユーザがＯＫボタン１２を押下すると、制御部２０は、第１指定枠４０が表示されている領域を第１合焦位置として記憶部３２に記憶させる（ステップＳ３）。そして制御部２０は、ユーザによりシャッターボタン６が押下されたか否かを判別する（ステップＳ４）。
【００２４】
制御部２０は、ユーザがシャッターボタン６を押下したと判別した場合には（ステップＳ４、Ｙｅｓ）、第１合焦位置である背景の木を含む領域に合焦するようにフォーカシングレンズ１４を駆動させる。そして制御部２０は、動画像の撮影を開始する（ステップＳ５）。即ち制御部２０は、記憶部３２に記憶された撮影フレームレートにより撮像素子２２から出力される撮像信号に基づくフレーム画像データのバッファメモリ３４への記憶を開始する。
【００２５】
制御部２０は、動画像の撮影を開始してから動画撮影時間である、例えば４秒が経過したか否かを判別する（ステップＳ６）。制御部２０は、４秒が経過したと判別した場合には（ステップＳ６、Ｙｅｓ）、バッファメモリ３４へのフレーム画像データの記憶を終了させ動画像の撮影を終了する（ステップＳ７）。
【００２６】
次に制御部２０は、バッファメモリ３４に記憶した複数のフレーム画像データに基づいて、後述の編集動画像を構成する第１動画像データを生成する。具体的にはバッファメモリ３４に記憶されている複数のフレーム画像データを読み出し、読み出したフレーム画像データに対して動画像用の解像度へのリサイズ等を行って第１動画像データを生成する。そして制御部２０は、第１動画像データを記憶部３２に一時的に記憶させる（ステップＳ８）。
【００２７】
ユーザが２番目の合焦位置（第２合焦位置という。）を設定するために表示部４に表示されているスルー画像の人の顔の位置に指を接触させると、指の接触位置がタッチパネル５により検出される。制御部２０は、タッチパネル５により検出された接触位置に基づいて図６に示すようにスルー画像に表示されている人の顔に重畳させて第２指定枠４２を表示させる（ステップＳ９）。
【００２８】
この状態においてユーザがＯＫボタン１２を押下すると、制御部２０は、第２指定枠４２が表示されている領域を第２合焦位置として記憶部３２に記憶させる（ステップＳ１０）。そして制御部２０は、ユーザによりシャッターボタン６が押下されたか否かを判別する（ステップＳ１１）。
【００２９】
制御部２０は、ユーザがシャッターボタン６を押下したと判別した場合には（ステップＳ１１、Ｙｅｓ）、第２合焦位置である人の顔を含む領域に合焦するようにフォーカシングレンズ１４を駆動させる。そして制御部２０は、動画像の撮影を開始する（ステップＳ１２）。即ち制御部２０は、記憶部３２に記憶された撮影フレームレートにより撮像素子２２から出力される撮像信号に基づくフレーム画像データのバッファメモリ３４への記憶を開始する。
【００３０】
制御部２０は、動画像の撮影を開始してから動画撮影時間である、例えば４秒が経過したか否かを判別する（ステップＳ１３）。制御部２０は、４秒が経過したと判別した場合には（ステップＳ１３、Ｙｅｓ）、バッファメモリ３４へのフレーム画像データの記憶を終了させ動画像の撮影を終了する（ステップＳ１４）。
【００３１】
制御部２０は、上述の第１動画像データの生成と同様の方法によって、バッファメモリ３４に記憶した複数のフレーム画像データに基づき、後述の編集動画像を構成する第２動画像データを生成する（ステップＳ１５）。制御部２０は、記憶部３２から第１動画像データを読み出し、第１動画像データと第２動画像データのそれぞれをＭＯＶ等の所定のファイル形式で記録媒体２８に記録させる（ステップＳ１６）。
【００３２】
この場合に各動画像のファイルには、メタデータとして、擬似フォーカスエフェクト動画撮影モードで撮影された動画像であることを示す情報、編集動画像を構成する他の動画像のファイル名、及び表示の順番を示す情報が記憶される。その後、ユーザは必要に応じてメニューボタン８、十字キー１０、ＯＫボタン１２を操作することにより、撮影モードを通常の静止画像撮影モード又は動画像撮影モードに戻す。
【００３３】
次に、図７に示す第１の実施の形態に係る編集動画像の再生処理を示すフローチャートを参照してこの実施の形態に係る電子カメラ２において編集動画像を再生する際の処理について説明する。ユーザがモードボタン８を押下し、十字キー１０とＯＫボタン１２を押下することにより再生モードを選択すると、制御部２０は、記録媒体２８に記録されている画像データに基づく静止画像や動画像を再生するための再生モードに移行する（ステップＳ２０）。
【００３４】
再生モードにおいては、制御部２０は、十字キー１０の操作に基づいて記録媒体２８から順番に静止画像データや動画像データを読み出す（ステップＳ２１）。即ち、十字キー１０の左矢印キーが操作された場合は前の画像データを記録媒体２８から読み出してこの画像データに基づく画像の表示を行い、右矢印キーが操作された場合には次の画像データを記録媒体２８から読み出してこの画像データに基づく画像の表示を行う。例えば読み出した画像データが静止画像の画像データの場合、制御部２０は表示部４にこの画像データに基づく静止画像を表示させる。また、読み出した画像データが動画像の画像データの場合、制御部２０は、表示部４にこの画像データに基づく動画像を表示させる。
【００３５】
制御部２０は、記録媒体２８から読み出した動画像データのメタデータとして擬似フォーカスエフェクト動画撮影モードで撮影された動画像であることを示す情報が記憶されているか否を判別する（ステップＳ２２）。制御部２０は、擬似フォーカスエフェクト動画撮影モードで撮影された動画像であることを示すメタデータが記憶されている場合（ステップＳ２２、Ｙｅｓ）、メタデータとして記憶されている編集動画像を構成する他の動画像のファイル名を参照して他の動画像の動画像データを記録媒体２８から読み出す（ステップＳ２３）。例えば、表示の順番が１番目である第１動画像データを読み出した場合、制御部２０はメタデータを参照して表示の順番が２番目である第２動画像データを記録媒体２８から読み出す。また第２動画像データを読み出した場合、制御部２０はメタデータを参照して第１動画像データを記録媒体２８から読み出す。
【００３６】
制御部２０は、読み出した第１動画像データ及び第２動画像データを記憶部３２に記憶させる（ステップＳ２４）。なお図８に示すように編集動画像を構成する第１動画像データ及び第２動画像データに基づく第１動画像及び第２動画像はそれぞれ４秒の長さを有する動画像である。
【００３７】
制御部２０は、編集動画像として最初に表示させる第１動画像データの最初のフレーム画像を静止画像として表示部４に表示させ、編集動画像の再生指示の有無を判別する（ステップＳ２５）。制御部２０は、ユーザによるＯＫボタン１２の操作によって編集動画像の再生指示がなされたものとし判別する（ステップＳ２５、Ｙｅｓ）。制御部２０は、編集動画像の再生指示がなされた場合には、表示部４において記憶部３２に記憶させた第１動画像データに基づく第１動画像の表示を開始する（ステップＳ２６）。即ち図１０（ａ）に示すように第１動画像データに基づいて背景の木に合焦した動画像の表示が開始される。
【００３８】
制御部２０は、クロスフェード処理開始時間になったか否か、つまり第１動画像の表示を開始してから１秒が経過したか否かを判別する（ステップＳ２７）。制御部２０は、クロスフェード処理開始時間になったと判別したとき（ステップＳ２７、Ｙｅｓ）、記憶部３２に記憶させた第２動画像データに基づく第２動画像の表示を開始すると共に、表示中の第１動画像が所定時間（３秒間）かけて徐々に、第２動画像に変わるようにクロスフェード処理を行う（ステップＳ２８）。即ち図９に示すように最初の１秒間は第１動画像のみが表示され、第１動画像の残りの３秒分と、第２動画像の最初の３秒分とが重なるようにクロスフェード処理がなされる。従って、この期間においては合焦位置が背景の木から手前の人の顔に徐々に移動するように見える動画像が表示される。そして制御部２０は、クロスフェード処理後、図１０（ｂ）に示すように第２動画像データに基づいて人の顔に合焦した動画像を１秒間表示させる（ステップＳ２９）。これによって編集動画像は図９に示すように全体として５秒の動画像として再生される。
【００３９】
第１の実施の形態によれば、ユーザが電子カメラを手動操作して合焦位置を変化させ動画像を撮影しなくても合焦位置が変化する印象的な映像効果を有する動画像を容易に作成することができる。
【００４０】
なお、上記第１の実施の形態においては、クロスフェード処理を３秒間で行っているが、変更可能にしてもよい。このようにすればフォーカスエフェクトの速度を変化させたのと同等の効果を得ることができ、映像効果を容易に変更することができる。例えばクロスフェード処理の時間を長くすれば、ゆっくりと合焦位置が変化するように見える編集動画像を容易に作成できる。またクロスフェード処理の時間を短くすればすばやく合焦位置が変化するように見える編集動画像を容易に作成できる。
【００４１】
また、上記第１の実施の形態によれば、再生モードにおいて編集動画像の再生指示がなされたときに編集動画像を作成したが、これに限らず擬似フォーカスエフェクト動画撮影モードによる第１動画像及び第２動画像の撮影に続けて編集動画像を生成し記録媒体２８に記録させるようにしてもよい。
【００４２】
また、上記第１の実施の形態によれば、再生モードにおいて第１動画像データの最初のフレーム画像を表示させユーザによるＯＫボタン１２の操作がなされたときに編集動画像を生成して再生させたが、第１動画像又は第２動画像を別々に再生させるか、編集動画像として再生させるかをユーザに選択させるようにしてもよい。
【００４３】
また、上記第１の実施の形態によれば、ユーザが指を接触させた位置をタッチパネル５により検出し、接触位置に基づいて第１合焦位置又は第２合焦位置を定めるための第１指定枠又は第２指定枠をスルー画像に表示させたが、これに限らず十字キー１０の操作によって移動する指定枠を表示させて該指定枠の移動によって第１合焦位置と第２合焦位置を決定させてもよい。
【００４４】
次に第２の実施の形態に係る電子カメラ２について説明する。本実施の形態に係る電子カメラ２は擬似フォーカスエフェクト動画撮影モードにおいて、ユーザに２か所の合焦位置を連続して設定させ、各合焦位置に合焦させた動画像を連続して撮影するものである。
【００４５】
ここで、図１１は第２の実施の形態に係る擬似フォーカスエフェクト動画撮影モードによる動画像の撮影処理を示すフローチャートである。ユーザがモードボタン８、十字キー１０及びＯＫボタン１２を押下することによって"擬似フォーカスエフェクト動画撮影モード"を選択すると、制御部２０は、擬似フォーカスエフェクト動画撮影モードに移行する。そして制御部２０は、撮像素子２２からの撮像信号に基づくスルー画像を表示部４に表示させる（ステップＳＡ１）。
【００４６】
ユーザが表示部４に表示されているスルー画像の背景の木の位置に指を接触させると、指の接触位置がタッチパネル５により検出される。制御部２０は、タッチパネル５により検出された接触位置に基づいて、図１２（ａ）に示すようにスルー画像に表示されている木に重畳させて第１指定枠４０を表示させる（ステップＳＡ２）。この状態において、ユーザがＯＫボタン１２を押下すると、制御部２０は、第１指定枠が表示されている領域を第１合焦位置として記憶部３２に記憶させる（ステップＳＡ３）。
【００４７】
次にユーザが表示部４に表示されているスルー画像の人の顔の位置に指を接触させると、指の接触位置がタッチパネル５により検出される。制御部２０はタッチパネル５により検出された接触位置に基づいて、図１２（ｂ）に示すようにスルー画像に表示されている人の顔に重畳させて第２指定枠４２を表示させる（ステップＳＡ４）。この状態においてユーザがＯＫボタン１２を押下すると、制御部２０は、第２指定枠が表示されている領域を第２合焦位置として記憶部３２に記憶させる（ステップＳＡ５）。そして制御部２０は、ユーザによりシャッターボタン６が押下されたか否かを判別する（ステップＳＡ６）。
【００４８】
制御部２０は、シャッターボタン６が押下されたと判別した場合には（ステップＳＡ６、Ｙｅｓ）、記憶部３２から第１合焦位置を読み出し、図１３（ａ）に示すように第１合焦位置である背景の木を含む領域に合焦するようにフォーカシングレンズ１４を駆動させる。そして制御部２０は動画像の撮影を開始する（ステップＳＡ７）。即ち制御部２０は、記憶部３２に記憶された撮影フレームレートにより撮像素子２２から出力される撮像信号に基づくフレーム画像データのバッファメモリ３４への記憶を開始する。
【００４９】
制御部２０は、動画像の撮影を開始してから動画撮影時間である、例えば４秒が経過したか否かを判別する（ステップＳＡ８）。制御部２０は、４秒が経過したと判別した場合には（ステップＳＡ８、Ｙｅｓ）、バッファメモリ３４へのフレーム画像データの記憶を終了させ動画像の撮影を終了する（ステップＳＡ９）。
【００５０】
次に制御部２０は、バッファメモリ３４に記憶した複数のフレーム画像データに基づいて編集動画像を構成する第１動画像データを生成する。具体的にはバッファメモリ３４に記憶されている複数のフレーム画像データを読み出し、読み出したフレーム画像データに対して動画像用の解像度へのリサイズ等を行って第１動画像データを生成する。そして制御部２０は、第１動画像データを記憶部３２に一時的に記憶させる（ステップＳＡ１０）。
【００５１】
制御部２０は、記憶部３２から第２合焦位置を読み出し、図１３（ｂ）に示すように第２合焦位置である人の顔を含む領域に合焦するようにフォーカシングレンズ１４を駆動させる。そして制御部２０は、動画像の撮影を開始する（ステップＳＡ１１）。即ち制御部２０は、記憶部３２に記憶された撮影フレームレートにより撮像素子２２から出力される撮像信号に基づくフレーム画像データのバッファメモリ３４への記憶を開始する。
【００５２】
制御部２０は、動画像の撮影を開始してから動画撮影時間である、例えば４秒が経過したか否かを判別する（ステップＳＡ１２）。制御部２０は、４秒が経過したと判別した場合には（ステップＳＡ１２、Ｙｅｓ）、バッファメモリ３４へのフレーム画像データの記憶を終了させ動画像の撮影を終了する（ステップＳＡ１３）。
【００５３】
制御部２０は、バッファメモリ３４に記憶した複数のフレーム画像データに基づいて編集動画像を構成する第２動画像データを生成する（ステップＳＡ１４）。制御部２０は、記憶部３２から第１動画像データを読み出し、第１動画像データと第２動画像データに擬似フォーカスエフェクト動画撮影モードで撮影された動画像であることを示す情報、編集動画像を構成する他の動画像のファイル名、及び表示の順番を示すメタデータを付してＭＯＶ等の所定のファイル形式で記録媒体２８に記録させる（ステップＳＡ１５）。なお、第１動画像データ及び第２動画像データにより構成される編集動画像の再生は第１の実施の形態と同様の処理により行われる。
【００５４】
第２の実施の形態によれば、ユーザに第１合焦位置と第２合焦位置とを連続して指定させ、第１動画像データ及び第２動画像データの動画像を連続して撮影するので、ユーザにとってはシャッターボタンを１回押下するだけで２つの動画像を撮影でき、印象的な映像効果を有する動画像を撮影する際の操作性をより向上させることができる。また第１動画像データの動画像を撮影してから第２動画像データの動画像を撮影するまでの時間が短くなるので、第１動画像データと第２動画像データとがより繋がった印象を与える編集動画像を作成することができる。
【００５５】
なお、上述の各実施の形態においては、ユーザに第１焦点位置と第２焦点位置とを指定させて第１動画像データ及び第２動画像データを撮影したが、制御部２０が自動的に第１焦点位置と第２焦点位置を指定するようにしてもよい。その場合、先ずユーザの操作により電子カメラ２が擬似フォーカスエフェクト動画撮影モードに移行したときに、制御部２０は、撮像素子２２からの撮像信号に基づくスルー画像を表示部４に表示させる。そしてユーザがシャッターボタン６を押下したときに、制御部２０は、顔認識機能によってスルー画像に表示された人の顔を認識し、レンズ駆動部１５によりフォーカシングレンズ１４を移動させて人の顔を含む範囲に合焦させ、その位置を第２合焦位置として記憶部３２に記憶させる。制御部２０は、レンズ駆動部１５によってフォーカシングレンズ１４を移動させ、人の顔よりも遠方の合焦位置の内、無限遠に近い位置を第１合焦位置として記憶部３２に記憶させる。このようにして第１合焦位置と第２合焦位置とを決定するようにしてもよい。そして、第２の実施の形態と同様にして編集動画像を構成する第１動画像及び第２動画像の撮影を行う。
【００５６】
また、上記第２の実施の形態によれば、再生モードにおいて編集動画像の再生指示がなされたときに編集動画像を作成するが、これに限らず擬似フォーカスエフェクト動画撮影モードによる第１動画像及び第２動画像の撮影に続けて編集動画像を生成し記録媒体２８に記録させるようにしてもよい。
【００５７】
次に第３の実施の形態に係る電子カメラについて説明する。第３の実施の形態に係る電子カメラにおいては、第１の実施の形態に係る電子カメラ２の構成と同一の構成を有しているため、その説明を省略し、同一の構成には同一の符号を用いて説明を行う。
【００５８】
この第３の実施の形態においては、制御部２０は、シャッターボタン６が半押しされた場合にフォーカシングレンズ１４を駆動させて第１合焦位置に合焦させる。そして６０ｆｐｓの撮影フレームレートによって撮像素子２２から出力される撮像信号に基づくフレーム画像データのバッファメモリ３４への記憶を開始する。この場合に制御部２０は、バッファメモリ３４に撮像素子２２からの撮像信号に基づいて各フレーム画像データをフルサイズ（例えば、３６４８×２０５６）の画素数のフレーム画像データとして記憶させる。
【００５９】
制御部２０は、シャッターボタン６が全押しされるまでフレーム画像データの記憶を継続して行う。そしてシャッターボタン６が全押しされたとき、制御部２０はシャッターボタン６が全押しされた時点から０．４秒後にバッファメモリ３４へのフレーム画像データの記憶を終了する。
【００６０】
制御部２０は、シャッターボタン６が全押しされた時点の０．６秒前から、シャッターボタン６が全押しされた時点の０．４秒後までにバッファメモリ３４に記憶された１秒分のフレーム画像データに基づいて第１動画像データの生成を行う。即ち図１４に示すようにバッファメモリ３４から２４ｆｐｓでフレーム画像データを読み出して２．５秒の第１動画像データ（スローモーション動画像データ）を生成する。この場合にフレーム画像データを動画像用の解像度へのリサイズを行い、ハイビジョンサイズ（１９２０×１０８０）の画素数のフレーム画像データにする。
【００６１】
また制御部２０は、上述した方法と同様の方法によって第２合焦位置に合焦した第２動画像データ（スローモーション動画像データ）を生成する。そして制御部２０は、第１動画像データ及び第２動画像データに擬似フォーカスエフェクト動画撮影モードで撮影された動画像であることを示す情報、編集動画像を構成する他の動画像のファイル名、及び表示の順番を示すメタデータを付して所定のファイル形式で記録媒体２８に記録させる。
【００６２】
次に編集動画像の再生について説明する。制御部２０は、再生モードにおいて記録媒体２８から擬似フォーカスエフェクト動画撮影モードで撮影された動画像であることを示すメタデータを記憶した動画像データを読み出すと、読み出した動画像データのメタデータとして記憶されている編集動画像を構成する他の動画像のファイル名を参照して他の動画像の動画像データを記録媒体２８から読み出す。そして制御部２０は第１動画像データ及び第２動画像データを記憶部３２に記憶させる。
【００６３】
制御部２０は、各動画像データのメタデータの表示の順番を示す情報を参照して、編集動画像として最初に表示させる第１動画像データの最初のフレーム画像を静止画像として表示部４に表示させる。そしてユーザによるＯＫボタン１２の操作によって編集動画像の再生指示がなされたとき、制御部２０は第１動画像データに基づく第１動画像の表示を開始する。
【００６４】
制御部２０は、クロスフェード処理開始時間となったとき、つまり図１５に示すように第１動画像の表示を開始してから１秒が経過したとき、記憶部３２に記憶させた第２動画像データに基づく第２動画像の表示を開始すると共に、表示中の第１動画像が所定時間（１．５秒間）かけて徐々に、第２動画像に変わるようにクロスフェード処理を行う。制御部２０はクロスフェード処理後、第２動画像を最後まで表示させて編集動画像の表示を終了する。これにより図１５に示すように編集動画像は全体として３．５秒の長さで再生される。
【００６５】
第３の実施の形態によれば、撮影時間の短い動画像を連続して撮影するため、２つの動画像により撮影する被写体の状況を近似したものとすることができる。従って編集動画像を再生させたときの違和感を無くすことができる。またスローモーション動画とすることでクロスフェード処理に用いることができる時間を長くすることができるので、合焦位置が変化する印象的な映像効果の動画像を容易に作成することができる。
【００６６】
なお、第３の実施の形態によれば、２つの動画像を繋げて編集動画像を作成したが、第１合焦位置で撮影した動画像と第２合焦位置で撮影した動画像の各合焦位置の画像を印象づけるために、静止画像を含めた編集動画像を表示させてもよい。
【００６７】
即ち制御部２０は、第３の実施の形態と同様にして擬似フォーカスエフェクト動画撮影モードにおいて動画像の撮影及び動画像データの生成を行うときに、撮像素子２２から出力される撮像信号に基づき静止画像データの取得を行う。即ち制御部２０は、図１６に示すように第１動画像を撮影するためにシャッターボタン６が全押しされた時に、撮像素子２２から出力された撮像信号に基づくフレーム画像データをバッファメモリ３４から読み出し、静止画像用の画像処理を施すことにより、フルサイズ（例えば、３６４８×２０５６）の画素数の第１静止画像の静止画像データを生成する。そして記憶部３２に記憶させる。
【００６８】
また、制御部２０は、図１６に示すように、第２動画像を撮影するために、シャッターボタン６が全押しされた時に、撮像素子２２から出力された撮像信号に基づくフレーム画像データをバッファメモリ３４から読み出し、静止画像用の画像処理を施すことにより、フルサイズの画素数の第２静止画像の静止画像データを生成する。そして記憶部３２に記憶させる。
【００６９】
制御部２０は、記憶部３２に記憶されている第１動画像データ、第２動画像データ、第１静止画像データ及び第２静止画像データのそれぞれに擬似フォーカスエフェクト動画撮影モードで撮影された画像であることを示す情報、編集動画像を構成する他の画像のファイル名、及び表示の順番を示すメタデータが付して記録媒体２８に記録させる。
【００７０】
制御部２０は、再生モードにおいて記録媒体２８から擬似フォーカスエフェクト動画撮影モードで撮影された画像であることを示すメタデータを記憶した画像データを読み出した場合には、画像データのメタデータとして記憶されている編集動画像を構成する他の画像のファイル名を参照して他の画像の画像データを記録媒体２８から読み出す。そして制御部２０は、第１動画像データ、第２動画像データ、第１静止画像データ及び第２静止画像データを記憶部３２に記憶させる。
【００７１】
制御部２０は、先ず第１静止画像データに基づく第１静止画像を表示部４に表示させる。制御部２０は、第１動画像へのクロスフェード処理の開始時、つまり図１７に示すように第１静止画像の表示を開始してから０．７５秒経過したとき、第１静止画像の残り表示時間である０．２５秒の期間と第１動画像データに基づく第１動画像の最初の０．２５秒の期間、即ち０．５秒の期間においてクロスフェード処理を行いながら第１動画像データに基づく第１動画像を表示部４に表示させる。
【００７２】
制御部２０は、第２動画像へのクロスフェード処理の開始時、つまり第１動画像の表示を開始してから１秒経過したとき、第１動画像の残り表示時間である１．５秒の期間において第２動画像データに基づく第２動画像をクロスフェード処理を行いながら表示部４に表示させる。
【００７３】
制御部２０は、第２静止画像へのクロスフェード処理の開始時、つまり第２動画像の表示が終了する０．２５秒前になったとき、第２動画像の残りの表示時間である０．２５秒の期間と第２静止画像データに基づく第２静止画像の最初の０．２５秒の期間、即ち０．５秒の期間においてクロスフェード処理を行いながら第２静止画像データに基づく第２静止画像を表示部４に表示させる。制御部２０は、ユーザによる表示終了指示等の何らかの操作がなされるまで、第２静止画像を継続して表示部４に表示させる。
【００７４】
これにより撮影時間に対して長い動画像の再生が可能となり、第２動画像の合焦位置の画像が印象的となるように表示することができる。なお、第１動画像の前に表示する第１静止画像、第２動画像の後に表示する第２静止画像は、シャッターボタン６が全押しされた時点のフレーム画像に基づくものに限らず、ユーザにより選択されたフレーム画像に基づくものとしてもよい。また、第１動画像の前に第１静止画像を表示させ、または第２動画像の後に第２静止画像を表示させるというように何れか一方だけに静止画像を表示させるようにしてもよい。
【００７５】
次に第４の実施の形態について説明する。この第４の実施の形態においてはソフトフォーカス処理によって動画を繋げた編集動画像を作成する。ここでこの第４の実施の形態においては擬似フォーカスエフェクト動画撮影モードによる動画撮影時間を４秒とする。ソフトフォーカス処理を行う時間は、第１動画像の後部の１．５秒と、第２動画像の前部の１．５秒の３秒分とする。
【００７６】
制御部２０は再生モードにおいて、記録媒体２８から読み出された動画像データが擬似フォーカスエフェクト動画撮影モードで撮影された動画像であることを示すメタデータが記憶された動画像データであった場合には、読み出した動画像データのメタデータとして記憶されている編集動画像を構成する他の動画像のファイル名を参照して他の動画像の動画像データを記録媒体２８から読み出す。即ち制御部２０は第１動画像データと第２動画像データを読み出す。
【００７７】
制御部２０は、読み出した第１動画像データ及び第２動画像データを記憶部３２に記憶させる。制御部２０は、各動画像データのメタデータの表示の順番を示す情報を参照して、編集動画像として最初に表示させる第１動画像データの最初のフレーム画像を静止画像として表示部４に表示させる。そしてユーザによるＯＫボタン１２の操作によって編集動画像の再生指示がなされたとき、制御部２０は、第１動画像データに基づく第１動画像の表示を開始させる。
【００７８】
制御部２０は、第１動画像の表示を開始してから２．５秒経過、つまり第１動画像の表示が終了する１．５秒前になったとき、ソフトフォーカス処理を開始する。そして制御部２０は、第１動画像の表示が終了するまでソフトフォーカス処理強度を徐々に高めていく。制御部２０は第１動画像の表示が終了すると、第２動画像データに基づく第２動画像の表示を開始する。このとき制御部２０は、ソフトフォーカス処理強度が高い状態からソフトフォーカス処理強度を徐々に弱めながら第２動画像の表示の開始から１．５秒後にソフトフォーカス処理を終了し、第２動画像を最後まで表示させ編集動画像の表示を終了する。
【００７９】
これにより、図１８に示すように編集動画像の再生が開始されると、最初の２．５秒までは第１動画像データに基づいて背景の木に合焦した動画像が表示され、ソフトフォーカス処理が開始されると第１動画像の表示が終わるまでソフトフォーカス処理の強度を徐々に高め、焦点がどこにも合っていないように見える動画像の表示を行う。そして第２動画像の表示を開始してからソフトフォーカス処理が終わるまでソフトフォーカス処理の強度を徐々に弱め、最終的に第２動画像データに基づく人の顔に合焦した動画像が表示される。編集動画像は全体として８秒の動画像として表示される。
【００８０】
第４の実施の形態によっても、ユーザが合焦位置を変化させるようにして動画像を撮影しなくても、合焦位置が変化する印象的な映像効果を有する動画像を容易に作成することができる。また第１動画像と第２動画像とをそのまま繋いでいるのでクロスフェード処理を行う場合と比べて重ね合わせ時間が不要となり、撮影した動画像をより有効に使うことができる。
【００８１】
なお、擬似フォーカスエフェクト動画撮影モードにおいて、制御部２０は第１合焦位置に合焦した動画像の撮影中及び第２合焦位置に合焦した動画像の撮影中にマイク２５によって音声を取得し、その音声データを記録媒体２８に記録させ、編集動画像を再生する際に記録媒体２８に記録させた音声データを用いて編集音声を作成してスピーカ３０から出力させてもよい。
【００８２】
例えば、制御部２０は、第１動画像データを生成するための動画像を撮影する際に取得した音声データ（第１音声データという。）を第１動画像データ内の音声データとして記録媒体２８に記録させ、第２動画像データを生成するための動画像を撮影する際に取得した音声データ（第２音声データという。）を第２動画像データ内の音声データとして記録媒体２８に記録させる。
【００８３】
また制御部２０は、上述した各実施の形態と同様に、第１動画像データ及び第２動画像データに擬似フォーカスエフェクト動画撮影モードで撮影された動画像であることを示す情報、編集動画像を構成する他の動画像のファイル名、及び表示の順番を示すメタデータを付して記録媒体２８に記録させる。
【００８４】
ソフトフォーカス処理により第１動画像と第２動画像を繋いで編集動画像を再生する場合、制御部２０は読み出した動画像データに擬似フォーカスエフェクト動画撮影モードで撮影された動画像であることを示すメタデータが記憶されているときには、メタデータとして記憶されている編集動画像を構成する他の動画像のファイル名を参照して他の動画像の動画像データを記録媒体２８から読み出して記憶部３２に記憶させる。
【００８５】
そして制御部２０は、図１９に示すように表示部４において、第１動画像の表示を開始させるときに、スピーカ３０による第１音声データに基づく第１音声の出力を開始させる。制御部２０は、動画像に関しては第１動画像と第２動画像とをソフトフォーカス処理により繋いで表示を行う。また制御部２０は音声に関しては第１音声と第２音声とをフェードアウト・フェードイン処理により繋いで作成した編集音声の出力を行う。
【００８６】
そのため制御部２０は、第１動画像が終了して第２動画像に切り替わるタイミングに合わせて第１音声を０．５秒かけてフェードアウトさせる。そして制御部２０は、第２音声データに基づく第２音声をスピーカ３０から０．５秒かけてフェードインさせながら出力させる。
【００８７】
このように、第１音声をフェードアウトさせ第２音声をフェードインさせて２つの音声を繋いで編集音声を作成するので、第１動画像から第２動画像へ切り替わる際に音声が急に変わる印象を和らげることができる。また第１動画像及び第２動画像の撮影中にはフォーカシングレンズ１４を駆動させないことから第１音声及び第２音声にフォーカシングレンズ１４の駆動音が入るのを防止することができる。
【００８８】
なお、編集音声をクロスフェード処理によって作成してもよい。但し編集動画像をソフトフォーカス処理を用いて作成すると、クロスフェード処理を用いて作成した編集音声よりも再生時間が長くなる。従って編集動画像の時間を短くして編集音声の時間に合わせる必要がある。例えば各動画像の撮影時間が４秒であってかつ音声をクロスフェードさせる時間が１秒である場合、制御部２０は、図２０に示すようにクロスフェード処理の時間の半分の時間、つまり０．５秒分を第１動画像の終わりの部分と第２動画像の最初の部分からそれぞれ削り、第１動画像及び第２動画像を３．５秒分の動画にしてソフトフォーカス処理によって繋ぎ合わせる。また制御部２０は、スピーカ３０に出力させる第１音声の終了１秒前からクロスフェード処理を行いながら、スピーカ３０に第２音声の出力を開始させる。
【００８９】
なお、上述した各実施の形態においては、２つの動画像を繋げて編集動画像を作成したが、これに限らず例えば、３つの動画像を順番に繋げて編集動画像を作成する等、複数の動画像を繋げて編集動画像を作成してもよい。
【００９０】
また、上述の実施の形態において、記憶媒体２８に記憶させた第１動画像及び第２動画像を上述の実施の形態と同様なクロスフェード処理またはソフトフォーカス処理により繋ぎ合わせて再生する処理をパソコン等の画像再生装置により行うようにしてもよい。また上述の実施の形態と同様にして編集動画像の再生を行う際に第１動画像及び第２動画像を撮影する際に取得した音声の出力を行うようにしてもよい。
【００９１】
また、上述の実施の形態においては、第１動画像が第２動画像に所定時間かけて徐々に変化するクロスフェード処理において、変化の割合が一定であるクロスフェード（直線的クロスフェード）を用いているが、変化の割合が一定ではない（非直線的クロスフェード、曲線的クロスフェード）を用いても良い。非直線状（曲線状）のクロスフェードの一例として、例えば変化の割合がＳ字カーブを描くクロスフェード（Ｓ字曲線クロスフェード）や、ベジェ曲線を描くクロスフェードや、或いは放物線を描くクロスフェード（放物線クロスフェード）などがある。また、上述の直線的クロスフェード、非直線的クロスフェードのうちの何れを用いるかをユーザが選択可能にしてもよい。
【００９２】
また、上述の第４の実施形態に示すソフトフォーカス処理を行う場合において、ソフトフォーカス処理に関するパラメータを適宜設定変更できるようにしてもよい。たとえばソフトフォーカス処理を施す期間や、その度合い（ソフトフォーカス処理の強度）、さらにはソフトフォーカス処理を施す期間中の処理強度の変化の速度（割合）などを、使用者によって適宜設定できるように構成してもよい。その際にそれらのパラメータを、第１動画像データと第２動画像データとでそれぞれ独立に設定できるようにしても良い。
【符号の説明】
【００９３】
２…電子カメラ、４…表示部、１６…撮影レンズ、２０…制御部、２２…撮像素子、２４…アンプ・Ａ／Ｄ変換部、２６…操作部、２８…記録媒体、３０…スピーカ、３２…記憶部、３４…バッファメモリ。
【図１】
0005585693.tif 000002
【図２】
0005585693.tif 000003
【図３】
0005585693.tif 000004
【図４】
0005585693.tif 000005
【図５】
0005585693.tif 000006
【図６】
0005585693.tif 000007
【図７】
0005585693.tif 000008
【図８】
0005585693.tif 000009
【図９】
0005585693.tif 000010
【図１０】
0005585693.tif 000011
【図１１】
0005585693.tif 000012
【図１２】
0005585693.tif 000013
【図１３】
0005585693.tif 000014
【図１４】
0005585693.tif 000015
【図１５】
0005585693.tif 000016
【図１６】
0005585693.tif 000017
【図１７】
0005585693.tif 000018
【図１８】
0005585693.tif 000019
【図１９】
0005585693.tif 000020
【図２０】
0005585693.tif 000021